(57)【要約】【課題】乳幼児を安定した姿勢にて簡単に収容部から降ろすことができ、特に乳幼児の寝かしつけに好適な子守帯を提供する。【解決手段】乳幼児を所定の姿勢にて収容する収容部１０を備え、収容部１０は前記姿勢に沿って設けられるスリット１２と、スリット１２を開閉可能とするオープンファスナー１３を有し、オープンファスナー１３は、前記姿勢における下半身側から上半身側の方向に開操作可能であり、スリット１２は、前記姿勢における上半身側の端部において前記収容部１０の端部まで及んでいる。【選択図】図１
2015057170.tif 000002
【特許請求の範囲】
【請求項１】
乳幼児を所定の姿勢にて収容する収容部を備え、
前記収容部は、前記姿勢に沿って設けられるスリットと、前記スリットを開閉可能とするオープンファスナーを有し、
前記オープンファスナーは、前記姿勢における下半身側から上半身側の方向に開操作可能であり、
前記スリットは、前記姿勢における上半身側の端部において前記収容部の端部まで及んでいることを特徴とする子守帯。
【請求項２】
前記収容部を利用者の肩に掛け下げるための肩ベルトを備え、前記収容部は前記乳幼児を縦抱き姿勢にて収容可能であり、
前記オープンファスナーは前記乳幼児の背面に対応する位置に縦方向に設けられるとともに下方から上方に向かって開操作可能であることを特徴とする請求項１記載の子守帯。
【請求項３】
前記収容部の下側に当該収納部を前記利用者の腰に固定するための腰ベルトを備え、
前記腰ベルトは当該腰ベルトの一方側端部と他方側端部を連結する連結部材を有し、
前記オープンファスナーの裏面が位置する側を一方側とし、表面が位置する側を他方側とすると、前記連結部材は正面が前記一方側に位置することを特徴とする請求項２記載の子守帯。
【請求項４】
前記オープンファスナーは、前記スリットの前記姿勢における下半身側端部から所定の間隔を設けて当該スリットに取り付けられていることを特徴とする請求項１乃至請求項３のいずれか一項に記載の子守帯。
【発明の詳細な説明】
【技術分野】
【０００１】
本発明は、乳幼児を抱いたり背負ったりするための補助具として使用される子守帯に関する。
【背景技術】
【０００２】
従来から、乳幼児を抱っこしたりおんぶしたりするための補助具として子守帯（ベビーキャリア、抱っこ紐、おんぶ紐とも呼ばれる。）が広く使用されている。子守帯には、乳幼児を本体に縦抱きや横抱き姿勢で収容し、肩ベルトを肩に掛けて使用するものや、シート状のスリングに乳幼児を収容して肩に掛けて使用するものなど、乳幼児を収容部に収容して使用するものが多い。
【０００３】
下記特許文献１には、収容部にファスナーが設けられており、このファスナーを開閉して幼児の収容や取り出しを行う子守帯が開示されている。
【先行技術文献】
【特許文献】
【０００４】
【特許文献１】実公昭６１−４４６８８号公報
【発明の概要】
【発明が解決しようとする課題】
【０００５】
上記特許文献１の子守帯では、収容部のファスナーが乳幼児の上半身側から下半身側の方向に開かれる。このため、乳幼児を子守帯から取り出して寝かせたり座らせたりするときは、幼児の全身を一旦子守帯から降ろしてから寝かせたり座らせたり、或いは、乳幼児をベッド等に座らせたり寝かせたりした状態としてから上半身側から下半身側にファスナーを開いて降ろすこととなる。このため、乳幼児が不安定な姿勢になりやすく、乳幼児に与える振動や危険が大きくなるとともに、利用者に与える作業負担も大きい。とくに、乳幼児の寝かしつけに使用するときは、子守帯内で寝入った乳幼児を静かに降ろしてベッド等に寝かせる必要があるが、上記特許文献１の子守帯では上記の通り取り乳幼児に与える振動が大きく、乳幼児が起きてしまうことも多い。
【０００６】
本発明は、このような実情に鑑みてなされたものであり、乳幼児を安定した姿勢にて円滑且つ簡単に収容部から降ろすことができる子守帯を提供することを目的とする。
【課題を解決するための手段】
【０００７】
本発明に係る子守帯は、乳幼児を所定の姿勢にて収容する収容部を備え、前記収容部は、前記姿勢に沿って設けられるスリットと、前記スリットを開閉可能とするオープンファスナーを有し、前記オープンファスナーは、前記姿勢における下半身側から上半身側の方向に開操作可能であり、前記スリットは、前記姿勢における上半身側の端部において前記収容部の端部まで及んでいることを特徴とする。
【０００８】
本発明の子守帯では、使用時には、例えば乳幼児の背面が前記収容部によって包み込まれ、乳幼児は安定した姿勢でホールドされる。一方、利用者が収容部に収容された乳幼児を降ろすとは、オープンファスナーが下半身側から上半身側の方向に開操作される構造であるため、オープンファスナーを下半身側から途中まで開いて乳幼児の下半身を先に着地させ、次いでオープンファスナーを全開として上半身を着地させるという動作が可能となる。その結果、乳幼児の安定した姿勢を維持したまま、円滑かつ簡単にベッドへの寝かしつけ等を行うことが可能となり、利用者の負担が大幅に削減される。
【発明の効果】
【０００９】
本発明の子守帯によれば、乳幼児を安定した姿勢にて、円滑且つ簡単に降ろすことができる。これにより、乳幼児に与える振動や危険が少なくなり、利用者に与える作業負担も小さくなる。とくに、子守帯を乳幼児の寝かしつけに使用する場合は、子守帯の中で寝入った乳幼児を起こさないように静かに降ろすことが可能となる。
【図面の簡単な説明】
【００１０】
【図１】本発明の実施の形態として示す子守帯の正面図である。
【図２】本発明の実施の形態として示す子守帯の背面図である。
【図３】本発明の実施の形態として示す子守帯の装着方法を説明する図であり、（ａ）は最初の状態、（ｂ）は途中の状態、（ｃ）は完了した状態を示す図である。
【図４】本発明の実施の形態として示す子守帯から乳幼児を降ろす方法を説明する図であり、（ａ）はオープンファスナーを途中まで開いた状態、（ｂ）はオープンファスナーを全開した状態を示す図である。
【発明を実施するための形態】
【００１１】
以下、本発明を適用した具体的な実施の形態について図面を参照しながら詳細に説明する。図１は、本実施の形態の子守帯１の正面図であり、図２はその背面図である。子守帯１は、乳幼児を縦抱き姿勢にて抱っこしたりおんぶしたりするために使用されるものであり、乳幼児を収容する収容部１０を主体とするものである。この収容部１０には、その使用形態等に応じて様々な補助部材を取り付けることも可能であり、本実施形態の場合、収容部１０を利用者の肩に掛け下げるための肩ベルト２０と、収容部１０を利用者の腰に固定するための腰ベルト３０とを備える。
【００１２】
収容部１０は、例えば母親が乳幼児と向かい合うように抱っこするいわゆる後ろ向き抱っこの場合、乳幼児の少なくとも臀部から背部を被覆する左右の一方側部材１１ａと他方側部材１１ｂを備える。一方側部材１１ａと他方側部材１１ｂは、シート状であり、下端側（以下、下半身側と言う。）が腰ベルト３０に縫合され、上端側（以下、上半身側と言う。）が自由端となっている。これにより、一方側部材１１ａと他方側部材１１ｂとの間、すなわち、収容部１０の幅方向における中央位置に、乳幼児の姿勢に沿った縦方向のスリット１２が形成される。スリット１２は、収容部１０の上半身側端部にまで及んでおり、これにより収容部１０の上半身側端部は一方側部材１１ａと他方側部材１１ｂとに分離可能となっている。
【００１３】
スリット１２には、オープンファスナー１３が取り付けられている。オープンファスナー１３は、下半身側から上半身側の方向（図１中の矢印Ｄ１の方向）に開操作可能である。なお、本実施形態では、乳幼児は後ろ向き抱っこで縦抱き姿勢にて抱っこされるので、前記オープンファスナー１３の取り付け方向は縦方向ということになる。また、オープンファスナー１３は、下方から上方に向かって開操作可能ということになる。
【００１４】
オープンファスナー１３の取り付け構造について詳しく説明すると、テープにエレメントが設けられた一方側ファスナー部材１３ａと他方側ファスナー部材１３ｂが、収容部１０の一方側部材１１ａと他方側部材１１ｂの互いに対向する端縁にそれぞれ取り付けられており、引き手１３ｄを引いてスライダー１３ｃを動かすことで矢印Ｄ１の方向に開操作可能となっている。すなわち、オープンファスナー１３は、閉状態のときはスライダー１３ｃが下半身側に位置し、開状態のときは上半身側に位置する取り付け方向にて取り付けられている。また、オープンファスナー１３は、いわゆるオープンファスナーであり、スライダー１３ｃが開放端まで達した時に、その係止を外すことができ、収容部１０を構成する一方側部材１１ａと他方側部材１１ｂをスリットにより分離開放することが可能である。
【００１５】
また、オープンファスナー１３は、スリット１２の下半身側端部から所定の間隔Ｈを設けて取り付けられている。このため、スリット１２の下半身側端部はオープンファスナー１３が設けられずに常に開状態となっている常時開口領域が形成される。前記常時開口領域を形成することで、オープンファスナー１３の操作性が向上するとともに、オープンファスナー１３を開いた際の開口長さを常時開口領域分だけ拡大することが可能である。なお、前記間隔Ｈは、好ましくは例えば約５〜１０ｃｍである。間隔Ｈが１０ｃｍを越えると、常時開口領域が大きくなり過ぎ、乳幼児の保持状態の安定さに欠けることになるおそれがある。前記間隔Ｈが５ｃｍ未満であると、開口長さの拡大という効果が少なくなるが、場合によっては間隔Ｈをゼロとし常時開口領域を設けなくともよい。
【００１６】
肩ベルト２０は、シート状の左側肩ベルト２０ａと右側肩ベルト２０ｂとを備え、各々が収容部１０の一方側部材１１ａと他方側部材１１ｂに取り付けられている。各肩ベルト２０ａ，２０ｂは、長さを調整するための長さ調整手段２２ａ，２２ｂを備える。また、肩ベルト２０ａ，２０ｂの各々には、背中ベルト２１ａ，２１ｂが取り付けられている。背中ベルト２１ａ，２１ｂの先端には、互いに連結な背中ベルト用連結部材（例えばバックルなど）が設けられている。
【００１７】
腰ベルト３０は、略長方形のシート状部材３１を備える。シート状部材３１は、上端中央付近の領域に収容部１０が縫合されており、両端が収容部１０よりも外側に突出している。
【００１８】
腰ベルト３０には、シート状部材３１の両端を連結可能な連結部材３２が取り付けられている。連結部材３２は、例えばバックルである。本実施の形態の連結部材３２は、一方側のバックル部材３２ａの挿入孔に他方側のバックル部材３２ｂの先端を差し込んで連結し、解除ボタンを押すことで連結が解除される構造となっている。バックル部材３２ａ，３２ｂは、バックル用ベルト３３ａ，３３ｂを介してシート状部材３１の両端に取り付けられている。
【００１９】
ここで、本実施形態の子守帯では、オープンファスナー１３の裏面（すなわちスライダー１３ｃの引き手１３ｄが位置する面とは反対側の面）が位置する側を子守帯１の一方側（図１で示される側）とし、オープンファスナー１３の表面（すなわちスライダー１３ｃの引き手１３ｄが位置する面）が位置する側を子守帯１の他方側（図２で示される側）とすると、連結部材３２は正面が子守帯１の一方側に位置している。換言すると、図１や図２に示すように、腰ベルト３０を平坦な状態にしたときに、連結部材３２は正面がオープンファスナー１３の裏面と同一方向を向く姿勢にて取り付けられている。これは、収容部１０と腰ベルト３０との間に収容空間を形成し、乳幼児Ｃの下腹部をこの収容空間に収容するという使用形態を考慮してのことである。逆に、腰ベルト３０の腰に巻いた時の上端から収容部１０を引き出すような形態で使用する場合には、連結部材３２の正面の取り付け向きを逆にすればよい。
【００２０】
なお、連結部材３２の正面は外観により判断可能である。たとえば、本実施の形態においては、バックル部材３２ａ，３２ｂの意匠やバックル用ベルト３３ａ，３３ｂの取り付け状態から正面を判断できる。
【００２１】
なお、収容部１０の一方側部材１１ａと他方側部材１１ｂ、各肩ベルト２０ａ，２０ｂ、及び、腰ベルト３０のシート状部材３１は、綿などの布を袋状にして内部にキルト芯を入れた構成であり、厚みが約５ｍｍ以内のシート状に形成されている。薄型とすることで、装着時における利用者や乳幼児の使用感を高めることができ、又、嵩張らないためファッション性に優れるとともに持ち運びも容易となる。
【００２２】
子守帯１は、次のように使用される。図３（ａ）、図３（ｂ）、図３（ｃ）は、子守帯１の装着方法を説明する図である。利用者Ｕは、図３（ａ）に示すように、収容部１０が下側、腰ベルト３０が上側となるように子守帯１を逆さまにし、子守帯１の一方側の面（図１で示される面）を外側に向けて持つ。その状態にて腰ベルト３０を腰に巻き、背中側で連結部材３２を連結させると、連結部材３２が表裏正しい向きにて装着される。つぎに、図３（ｂ）に示すように、利用者Ｕは、乳幼児Ｃを抱きかかえ、図３（ｃ）に示すように、収容部１０を初期の位置（図３（ｃ）中の点線で示される位置）から矢印Ｄ２の方向に引き上げ、肩ベルト２０ａ，２０ｂに腕を通して装着する。なお、背中ベルト２１ａ，２１ｂは利用者Ｕの背中側で連結させる。
【００２３】
これにより、乳幼児Ｃが縦抱き姿勢にて抱っこされる。収容部１０と腰ベルト３０との間には収容空間が形成され、乳幼児Ｃの下腹部がこの収容空間に収容されることとなり、安定感が得られる。
【００２４】
また、子守帯１は、乳幼児Ｃを収容すると、乳幼児Ｃの臀部の形状に合わせて底部が丸みを帯び、スリット１２の下半身側端部が乳幼児Ｃと利用者Ｕとの間に位置して隠れることとなる。しかし、オープンファスナー１３は半身側端部が乳幼児Ｃの臀部の頂点よりも背中側に位置するように所定の間隔Ｈを設けて取り付けられているため、閉状態としてもスライダー１３ｃや引き手１３ｄが隠れてしまうことがなく、オープンファスナー１３の操作性が阻害されることはない。
【００２５】
図４（ａ）と図４（ｂ）は、乳幼児Ｃの取り出し方法を説明する図である。図４（ａ）に示すように、利用者はオープンファスナー１３を途中まで開いて乳幼児Ｃの下半身（例えば臀部）を露出さ、ベッド等に着地せる。オープンファスナー１３は、乳幼児Ｃの縦抱き姿勢における下半身側から上半身側の方向（図４（ａ）の矢印Ｄ１の方向）に開操作可能であるため、上半身側は閉じたままとして乳幼児Ｃをホールドしつつ、下半身側を開いて下半身を着地させ、乳幼児Ｃの姿勢を安定させることができる。
【００２６】
つぎに、図４（ｂ）に示すように、オープンファスナー１３を全開とする。オープンファスナー１３はスライダー１３ｃが開放端まで達した時に、その係止を外すことができるため、収容部１０は上半身側端部において一方側部材１１ａと他方側部材１１ｂとに分離開放され、スリット１２が大きく開口する。
【００２７】
利用者Ｕは、全開したスリット１２から乳幼児Ｃを降ろす。乳幼児Ｃは下半身がベッド等に着地しているため、安定した姿勢を維持したまま、円滑且つ簡単に降ろすことができる。そのまま座らせたり、後に倒して寝かせたりすることも容易である。これにより、乳幼児Ｃに与える振動や危険が少なくなり、降ろす作業を行う利用者Ｕへの負担も小さくなる。
【００２８】
さらに、スリット１２の下半身側端部に設けられる所定の間隔Ｈには、オープンファスナー１３が取り付けられていない常時開口領域が形成されるため、オープンファスナー１３を開くとスリット１２はこの常時開口領域の分まで大きく開口し、乳幼児Ｃの取り出し作業が更に容易となる。本実施の形態では、スライダー１３ｃや引き手１３ｄが隠れないように、所定の間隔Ｈを設けてオープンファスナー１３を取り付けているが、所定の間隔Ｈを常時開口領域とすることによって開口を広く確保することが可能となっている。
【００２９】
子守帯１は、特に、乳幼児Ｃの寝かしつけに有効である。乳幼児Ｃを寝かしつけるには、子守帯１の中で寝入った乳幼児Ｃを静かに取り出してベッド等に寝かせる必要がある。上記の通り、子守帯１は取り出し時に乳幼児Ｃに与える振動が少ないため、乳幼児Ｃを起こさないように静かに取り出して寝かせることができる。
【００３０】
なお、子守帯１は乳幼児Ｃのおんぶにも利用可能である。この場合、背負った状態でオープンファスナー１３を途中まで開いて乳幼児Ｃの臀部を着地させ、その状態にてオープンファスナー１３を全開として乳幼児を降ろす。
【００３１】
なお、本発明は、上述した実施の形態に限定されるものではない。たとえば、上記実施の形態では、乳幼児を縦抱き姿勢にて抱っこするタイプの子守帯を例に説明したが、横抱き姿勢にて抱っこするタイプや、シート内に乳幼児を収容して肩にかけるスリングタイプや、おんぶするタイプにも適用可能である。いずれも、乳幼児が収容される部分が収容部となる。
【００３２】
また、上記実施の形態では、収納部をシート状部材で構成したが、これに限られるものではなく、例えば、乳幼児の体型に合わせた立体形状としても良い。また、腰ベルトの連結部材の向きも必要に応じて変更しても良い。
【００３３】
また、上記実施の形態では、収容部や肩ベルトや腰ベルトにキルト芯を用いたが、芯素材は例えばウレタンや綿などでも良い。また、使用感や持ち運び、ファッション性などの観点から各部材を薄型としたが、その厚みも任意である。
【００３４】
また、オープンファスナーは、本実施の形態のようにスリットの下半身側端部に所定の間隔を設けて取り付けたほうが好ましいが、スリットの下半身側端部から上半身側端部の全域に取り付けても良い。
【００３５】
また、上記実施の形態の子守帯を前向き抱っこ可能としても良い。この場合、紐状部材にて収容部の下半身側端部を絞り、幅方向に収縮させる。この状態にて乳幼児を前向きだっこの姿勢にて収容部に収容すると、収容部の下半身側端部の幅が狭くなっているため、乳幼児の股関節が開き過ぎることがない。紐状部材は、収容部の下半身側端部に巻きつけて縛るものでも良いが、互いに連結可能な連結部材（バックル等）と、長さを調整する調整手段を備えるものとすれば、収容部の下半身側端部に巻きつけた後に連結部材を連結させ、長さ調整手段により絞ることができ、好適である。
【００３６】
また、子守帯には乳幼児の頭部を被覆するフードを設けても良い。この場合、収容部にフード取り付け用のボタンやファスナー等を設けて、フードを取り付け取り外し自在に構成することが好ましい。
【００３７】
このように、本発明は、その趣旨を逸脱しない範囲で適宜変更が可能であることはいうまでもない。
【符号の説明】
【００３８】
１０    収容部
１１ａ  収容部の一方側部材
１１ｂ  収容部の他方側部材
１２    スリット
１３    オープンファスナー
１３ａ  一方側ファスナー部材
１３ｂ  他方側ファスナー部材
１３ｃ  オープンファスナーのスライダー
１３ｄ  オープンファスナーの引き手
２０    肩ベルト
２１    背中ベルト
２２    長さ調整手段
３０    腰ベルト
３１    シート状部材
３２    連結部材
Ｈ      所定の間隔
Ｕ      利用者
Ｃ      乳幼児
【図１】
2015057170.tif 000003
【図２】
2015057170.tif 000004
【図３】
2015057170.tif 000005
【図４】
2015057170.tif 000006